(57)【特許請求の範囲】
【請求項１】
中空部分を有する軸状部材であって、表面から前記中空部分に通じる孔と開口部とが形成されている定規支保工と、
一端にはさや管が設けられ、他端は鈎状であるロッドと、
前記孔と前記中空部分に前記開口部から挿入された前記さや管部分とを貫いて差し込まれることで、前記定規支保工と前記ロッドとを係合するピンと、
を備えているコンクリート吹付用治具。
【請求項２】
さらに、前記ピンは、
その形状がほぼコ字形であって、その一端は前記孔と前記中空部分に前記開口部から挿入された前記さや管部分とを貫いて差し込まれることで、前記定規支保工と前記ロッドとを係合するものである請求項１記載のコンクリート吹付用治具。
【請求項３】
請求項１記載のコンクリート吹付用治具を用意し、
地山に吹き付けたコンクリート中に前記さや管部分を露出させて埋め込まれている前記ロッドの当該露出しているさや管に、新たな前記ロッドの鈎部分を差し込んでこの新たなロッドを支持せしめ、この新たなロッドのさや管と前記定規支保工とを前記ピンにより係合する工程と、
この後、さや管部分を除いて新たなロッドがコンクリートで埋まるように前記定規支保工を目安として地山にコンクリートを吹き付ける工程と、
この吹き付け後、前記ピンを抜いて前記定規支保工を回収する工程と、
の各工程を繰り返すことで、掘削したトンネルの地山に次々とコンクリートを吹き付けるコンクリート吹付方法。
【請求項４】
請求項２記載のコンクリート吹付用治具を用意し、
地山に吹き付けたコンクリート中に前記さや管部分を露出させて埋め込まれている前記ロッドの当該露出しているさや管に、新たな前記ロッドの鈎部分を差し込んでこの新たなロッドを支持せしめ、この新たなロッドのさや管と前記定規支保工とを前記ピンの一端部により係合し、前記ピンの他端部と前記定規支保工との間にはキャンバを差し込んで締め付ける工程と、
この後、さや管部分を除いて新たなロッドがコンクリートで埋まるように前記定規支保工を目安として地山にコンクリートを吹き付ける工程と、
この吹き付け後、前記ピンを抜いて前記定規支保工を回収する工程と、
の各工程を繰り返すことで、掘削したトンネルの地山に次々とコンクリートを吹き付けるコンクリート吹付方法。
【発明の詳細な説明】
【０００１】
【産業上の利用分野】
この発明は、掘削したトンネル内の支保工を建て込んでいない区間で地山にコンクリートを吹き付けるための技術に関する。
【０００２】
【従来の技術】
掘削したトンネルの地山にコンクリートを吹き付ける場合、コンクリートがところどころ厚くなったり薄くなったりなどしたのでは、仕上がりが美しくないのみならず、応力伝達の面からも不都合を生じるため、コンクリート吹き付けの目安が必要である。
【０００３】
鋼アーチ支保工を建て込んでいる区間においては、この鋼アーチ支保工を目安としてコンクリートの吹き付けを行えるが、崩落の心配がないために鋼アーチ支保工を建て込んでいない区間では、従来、所定の定規支保工を用いてコンクリートの吹き付け作業を行っていた。
【０００４】
この従来用いられている定規支保工は、Ｈ形鋼の両側のフランジ部分に、各々、鋼板を掛け渡して溶接した構成である。
【０００５】
定規支保工は、トンネルの地山にコンクリートの吹き付けの目安とするものである。コンクリートの吹き付け作業にあたっては、定規支保工を吹き付けコンクリート中にそのまま放置して埋め込んでいたのでは施工コストの問題が生じるため使い回しする必要があり、使用後の定規支保工は回収して次の吹き付け箇所に移動して再使用していた。
【０００６】
そのため、複数の定規支保工間でボルトやタイロッドなどによるつなぎ込みはできず、定規支保工のセッティングは独立して行っていた。また、定規支保工のセッティングは建て込み精度も重要であり、そのため、従来は、応急的な手段として、要所要所で定規支保工と地山との間にキャンバを差し込んで（必要に応じて、板材も介装する）定規支保工のブレ止めを行っていた。
【０００７】
【発明が解決しようとする課題】
しかしながら、従来のような手段で独立して定規支保工のセッティングを行っていたのでは、セッティング作業に手間と時間を要し、ひいてはコンクリート吹き付け作業に手間と時間を要してしまう。
【０００８】
この発明は、定規支保工のセッティングのための手間と時間を削減することを目的とする。
【０００９】
【課題を解決するための手段】
上記の課題を解決するため、
請求項１記載の発明は、
コンクリート用治具において、中空部分を有する軸状部材であって、表面から前記中空部分に通じる孔と開口部とが形成されている定規支保工と、一端にはさや管が設けられ、他端は鈎状であるロッドと、前記孔と前記中空部分に前記開口部から挿入された前記さや管部分とを貫いて差し込まれることで、前記定規支保工と前記ロッドとを係合するピンと、を備えていることを特徴とする。
【００１０】
請求項２記載の発明は、
請求項１記載のコンクリート用治具において、さらに、前記ピンは、その形状がほぼコ字形であって、その一端は前記孔と前記中空部分に前記開口部から挿入された前記さや管部分とを貫いて差し込まれることで、前記定規支保工と前記ロッドとを係合するものであることを特徴とする。
【００１１】
請求項３記載の発明は、
コンクリートの吹き付け方法において、請求項１記載のコンクリート吹付用治具を用意し、地山に吹き付けたコンクリート中に前記さや管部分を露出させて埋め込まれている前記ロッドの当該露出しているさや管に、新たな前記ロッドの鈎部分を差し込んでこの新たなロッドを支持せしめ、この新たなロッドのさや管と前記定規支保工とを前記ピンにより係合する工程と、この後、さや管部分を除いて新たなロッドがコンクリートで埋まるように前記定規支保工を目安として地山にコンクリートを吹き付ける工程と、この吹き付け後、前記ピンを抜いて前記定規支保工を回収する工程と、の各工程を繰り返すことで、掘削したトンネルの地山に次々とコンクリートを吹き付けることを特徴とするものである。
【００１２】
請求項４記載の発明は、
コンクリートの吹き付け方法において、請求項２記載のコンクリート吹付用治具を用意し、地山に吹き付けたコンクリート中に前記さや管部分を露出させて埋め込まれている前記ロッドの当該露出しているさや管に、新たな前記ロッドの鈎部分を差し込んでこの新たなロッドを支持せしめ、この新たなロッドのさや管と前記定規支保工とを前記ピンの一端部により係合し、前記ピンの他端部と前記定規支保工との間にはキャンバを差し込んで締め付ける工程と、この後、さや管部分を除いて新たなロッドがコンクリートで埋まるように前記定規支保工を目安として地山にコンクリートを吹き付ける工程と、この吹き付け後、前記ピンを抜いて前記定規支保工を回収する工程と、の各工程を繰り返すことで、掘削したトンネルの地山に次々とコンクリートを吹き付けることを特徴とするものである。
【００１３】
【作用】
請求項１記載のコンクリート吹き付け用治具によれば、まず、地山に吹き付けたコンクリート中にさや管部分を露出させて埋め込まれているロッドの当該露出しているさや管に、新たなロッドの鈎部分を差し込んでこの新たなロッドを支持せしめ、この新たなロッドのさや管と定規支保工とをピンにより係合する。この後、さや管部分を除いて新たなロッドがコンクリートで埋まるように定規支保工を目安として地山にコンクリートを吹き付け、この吹き付け後に、ピンを抜いて定規支保工を回収する、という作業を繰り返すことで、掘削したトンネルの地山に次々とコンクリートを吹き付けることができる。
【００１４】
従って、この発明によれば、すでに吹き付けを済ませたコンクリート中から露出しているさや管に新たなロッドの一端を支持させ、この新たなロッドの他端に回収した定規支保工を係合させることで、定規支保工とロッドとのつなぎ込みが可能となり、定規支保工のセッティングを従来のように独立して行う必要はないから、定規支保工のセッティングの手間と時間を削減することができる。
【００１５】
請求項２記載のコンクリート吹き付け用治具によれば、請求項１記載のコンクリート吹き付け用治具と同様の作用を奏するほか、ほぼコ字形のピンの、差込み側ではない端部側と定規支保工との間にキャンバを差し込んで締め付けることにより、定規支保工のブレ止めが簡単に行える。
【００１６】
請求項３記載のコンクリートの吹き付け方法によれば、すでに吹き付けを済ませたコンクリート中から露出しているさや管に新たなロッドの一端を支持させ、この新たなロッドの他端に回収した定規支保工を係合させることで、定規支保工とロッドとのつなぎ込みが可能となり、定規支保工のセッティングを従来のように独立して行う必要はないから、定規支保工のセッティングの手間と時間を削減することができる。
【００１７】
請求項４記載のコンクリートの吹き付け方法によれば、請求項３記載のコンクリートの吹き付け方法と同様の作用を奏するほか、ほぼコ字形のピンの他端部側（差込み側ではない端部側）と定規支保工との間にキャンバを差し込んで締め付けることにより、定規支保工のブレ止めが簡単に行える。
【００１８】
【実施例】
以下、この発明の一実施例を図面を参照しつつ説明する。
【００１９】
まず、構成について説明する。
【００２０】
図１（Ａ）は、この実施例で用いる定規支保工１の平面図であり、図１（Ｂ）は、同正面図である。定規支保工１は、Ｈ形鋼１１の両側のフランジ部分１２と１２´、および、１３と１３´に、各々、鋼板１４、１５を掛け渡して溶接してある軸状の部材であり、Ｈ形鋼１１と鋼板１４、１５とにより中空部分１６、１６´が形成されている。フランジ部分１２、１２´には、それぞれ、定規支保工１から中空部分１６に通じる孔１７、１７´が貫通している。また、鋼板１４の孔１７、１７´近傍には、定規支保工１の表面からから中空部分１６に通じる開口部１８が形成されている。
【００２１】
図２（Ａ）は、この実施例で用いるさや管付ロッド２の平面図であり、図２（Ｂ）は、同側面図である。さや管付ロッド２は、従来鋼アーチ支保工を連結するのに用いているタイロッドに、さや管を取り付けた構成である。すなわち、軸部２１の一端をＬ字形に折り曲げて鈎状部２２とし、他端も同様に折り曲げて、さや管２３を溶接した構成である（符号２４は溶接部分である）。
【００２２】
図３は、この実施例で用いるピンの平面図である。このピン３は、ほぼコ字形で、両端部３１、３２のうち、その一端部側３１が、定規支保工１の中空部分１６に開口部１８から挿入されたさや管付ロッド２のさや管２３部分と、孔１７および１７´とを貫いて差し込まれることで、定規支保工１とさや管付ロッド２とを係合するためのものである。
【００２３】
次に、作用について説明する。
【００２４】
図４は、この実施例の作用を説明する図である。まず、掘削されたトンネルの地山５に吹き付けたコンクリート６´中には、さや管付ロッド２´が、そのさや管２３´部分については露出させて埋め込まれている。このさや管付ロッド２´は、前記したさや管付ロッド２と同一の部材である。この露出しているさや管２３´に、さや管付ロッド２の鈎状部２２を差し込んで、新たなさや管付ロッド２をさや管２３´に支持せしめる。
【００２５】
次に、さや管付ロッド２のさや管２３と、定規支保工１の孔１７、１７´とをピン３の一端部側３１で貫いて、定規支保工１とさや管付ロッド２のさや管２３側とを係合させる。このとき、ピン３の他端部側３２は定規支保工１の鋼板１５に沿って位置しており、ピン３の他端部側３２と定規支保工１との間にはキャンバ７を差し込んで締め付ける。
【００２６】
この後、さや管２３部分を除いて、さや管付ロッド２がコンクリートで埋まるように、定規支保工１を目安として地山５にコンクリートを吹き付ける（吹き付けられるコンクリートは符号６で示している）。吹き付けの前には、さや管２３部分をスポンジなどで覆い、吹き付けコンクリートからさや管２３部分を防護してもよい。なお、図５には、定規支保工１、さや管付ロッド２、および、ピン３を連結した状態の平面図を示している。
【００２７】
コンクリートの吹き付け終了後、キャンバ７を外し、ピン３を抜いて、定規支保工１を回収する。ピン３の取り外し時期は、コンクリート吹き付け強度の関係や、反り、および、発破衝撃の伝達により、抜けにくくなることがあるため、コンクリート吹き付け作業の終了後、直ちに行う。
【００２８】
すなわち、上記の説明で、吹き付けコンクリート６´から露出しているさや管２３´は、上記と同様の作業により既に吹き付けられたコンクリートから露出しているさや管であり、上記の説明はこのさや管２３に対し、新たなさや管付ロッド２を介して定規支保工１のつなぎ込みを行ったものである。以後、上記の作業を繰り返すことで、掘削したトンネルの地山に次々とコンクリートを吹き付けることができる。
【００２９】
図６は、地山５にコンクリートを吹き付け（符号６）、ロックボルト８を地山５に打込み、さらに、施行コンクリート９を施した状態を示すものである。符号５１〜５４は、定規支保工１のセッティング箇所の一例（この例では４箇所）を示すものである。図７（Ａ）は、図６のＡ−Ａ断面図であり、図７（Ｂ）は、図６のＢ−Ｂ断面図である。なお、図７（Ａ）には、定規支保工１をセッティングしていた位置を想像線で示している。
【００３０】
この実施例では、すでに吹き付けを済ませたコンクリート中から露出しているさや管２３に新たなさや管付ロッド２の一端を支持させ、この新たなさや管付ロッド２の他端に回収済みの定規支保工１を係合させることで、定規支保工１とさや管付ロッド２とのつなぎ込みが可能となり、定規支保工のセッティングを従来のように独立して行う必要はないから、定規支保工のセッティングの手間と時間を削減することができる。
【００３１】
また、ほぼコ字形のピン３の、一端部側３２と定規支保工１との間にキャンバ７を差し込んで締め付けることにより、定規支保工１のブレ止めも簡単に行える。
【００３２】
【発明の効果】
請求項１記載のコンクリート吹き付け用治具によれば、定規支保工のセッティングを従来のように独立して行う必要はないから、定規支保工のセッティングの手間と時間を削減することができる。
【００３３】
請求項２記載のコンクリート吹き付け用治具によれば、請求項１記載のコンクリート吹き付け用治具と同様の効果を奏するほか、定規支保工のブレ止めが簡単に行える。
【００３４】
請求項３記載のコンクリートの吹き付け方法によれば、定規支保工のセッティングを従来のように独立して行う必要はないから、定規支保工のセッティングの手間と時間を削減することができる。
【００３５】
請求項４記載のコンクリートの吹き付け方法によれば、請求項３記載のコンクリートの吹き付け方法と同様の効果を奏するほか、定規支保工のブレ止めが簡単に行える。
【図面の簡単な説明】
【図１】この発明の一実施例に用いる定規支保工の構成を説明する図である。
【図２】この発明の一実施例に用いるさや管付ロッドの構成を説明する図である。
【図３】この発明の一実施例に用いるピンの構成を説明する図である。
【図４】この発明の一実施例の作用を説明する図である。
【図５】この発明の一実施例の作用を説明する図である。
【図６】この発明の一実施例の作用を説明する図である。
【図７】この発明の一実施例の作用を説明する図である。
【符号の説明】
１ 定規支保工
１６ 中空部
１７、１７´ 孔
１８ 開口部
２、２´ さや管付ロッド
２２、２２´ 鈎状部
２３、２３´ さや管
３ ピン
５ 地山
６、６´ 吹き付けコンクリート
７ キャンバ
【図１】
0003614932.tif 000002
【図２】
0003614932.tif 000003
【図３】
0003614932.tif 000004
【図４】
0003614932.tif 000005
【図５】
0003614932.tif 000006
【図６】
0003614932.tif 000007
【図７】
0003614932.tif 000008